(57)【要約】【課題】  マッサージ部が各々任意に回転し、相互に干渉しないマッサージスティックを提供する。【解決手段】  軸桿１を設置し、軸カバー２は軸桿１上に設置し、その軸カバー２には穿孔２１が成形される。第一マッサージ部３を軸桿１上に嵌め、その第一マッサージ部３には管孔３１が設置される。軸受４は軸桿１上に設置され、その軸受け４には軸孔４１が成形される。第二マッサージ部５を軸受４上に嵌め、その第二マッサージ部５には管孔５１が成形される。これらによって、第一マッサージ部３及び第二マッサージ部５が各自に回転する。【選択図】    図１
0003115792.tif 000002
【実用新案登録請求の範囲】
【請求項１】
軸桿と、
軸桿上に設置され、管孔が成形される第一マッサージ部と、
軸桿上に設置され、軸孔が成形される軸受と、
軸受上に設置され、管孔が成形される第二マッサージ部と、
を備えることを特徴とするマッサージ・スティック。
【請求項２】
前記軸桿は、両端に各々ネジ紋が設置され、そこにナットが螺設されることを特徴とする請求項１に記載のマッサージ・スティック。
【請求項３】
軸カバーは、一端に嵌合部が設置され、第一マッサージ部の管孔両端は環状凹部が設置され、底に嵌合部が設置されることを特徴とする請求項１に記載のマッサージ・スティック。
【請求項４】
前記軸受は、その間にスリーブを設置し、そこに軸桿を挿入することを特徴とする請求項１に記載のマッサージ・スティック。
【請求項５】
前記第二マッサージ部の管孔は、その両端には環状凹部が成形され、そのうちの一つの環状凹部内にはワッシャが設置され、そこに軸受を設置することを特徴とする請求項１に記載のマッサージ・スティック。
【請求項６】
前記第二マッサージ部は、その一側の環状凹部に外向きのネジ紋段が成形され、そのネジ紋段内側に蓋塊を螺設することを特徴とする請求項５に記載のマッサージ・スティック。
【請求項７】
前記第一マッサージ部及び第二マッサージ部は、その管孔内に固定台を設置し、その固定台周辺縁上には槽条を設置し、その中に磁気部品を設置することを特徴とする請求項１に記載のマッサージ・スティック。
【請求項８】
前記第一マッサージ部及び第二マッサージ部は、その外周縁上にマッサージ凸を設置することを特徴とする請求項１に記載のマッサージ・スティック。
【請求項９】
前記軸桿は、その上に一組以上の軸カバー、第一マッサージ部、軸受、及び第二マッサージ部を設置することを特徴とする請求項１に記載のマッサージ・スティック。
【考案の詳細な説明】
【技術分野】
【０００１】
本考案は、マッサージ・スティックに関するもので、軸カバー及び軸受が各々軸桿上に設置され、第一、第二マッサージ部がその上で各自回転するものである。
【背景技術】
【０００２】
今日、疲れを癒したり軽減したりするのにマッサージ・スティックがある。体の各部位にマッサージを行うもので、簡単で便利、且つ経済的なことから、巷でよく見られる。図８に示すとおり、このマッサージ・スティックＡは、一体成型の桿体で、その両端には各々グリップＡ１が固定される。この二つのグリップＡ１の間は可動カバーで、自在に回転するマッサージ部Ａ２が設置され、両手でこの二つのグリップＡ１を握り、マッサージ部Ａ２を体の各部位で回転させることによって、マッサージ効果を得る。しかしながらこの構造は、二つのグリップＡ１がマッサージ・スティックと連結して一体になっているため、自在に回転させることができない。そのため、マッサージ部Ａ２が回転する時、この二つのグリップＡ１は両手で握って固定されるため、マッサージ部Ａ２だけが回転してマッサージを行うため、使用に限定があり、体の何処にでもマッサージを行えるわけでない。
【考案の開示】
【考案が解決しようとする課題】
【０００３】
解決しようとする問題点は、マッサージ・スティックの回転に限定がある点である。
【課題を解決するための手段】
【０００４】
本考案は、軸桿を設置し、軸カバーは軸桿上に設置し、その軸カバーには穿孔が成形される。第一マッサージ部を軸桿上に嵌め、その第一マッサージ部には管孔が設置される。軸受は軸桿上に設置され、その軸桿には軸孔が成形される。第二マッサージ部を軸受上に嵌め、その第二マッサージ部には管孔が成形される。これらによって、第一、第二マッサージ部が各自に回転することを最も主要な特徴とする。
【０００５】
（考案の効果）
本考案のマッサージ・スティックは、下述の利点がある。
（１）本考案に設置した第一、第二マッサージ部は、各自が各々回転し、相互に干渉しないため、使用者は３６０度自在に体の各部位にマッサージを行い、良好な効果を得る。
（２）本考案は、第一、第二マッサージ部内に磁気部品を設置し、マイナス磁気波を発し、経絡を軟化して血液の循環の促進、脂肪を流す作用を具える。
（３）本考案の第一、第二マッサージ部の外周縁上には、マッサージ凸が設置され、マッサージ効果を高める。
【考案を実施するための最良の形態】
【０００６】
（第一実施例）
先ず、図１及び図２に示すとおり、本考案の第一実施例によるマッサージ・スティックは、主に軸桿１、軸カバー２、第一マッサージ部３、軸受４、及び第二マッサージ部５を含む。そのうち、軸桿１は、適する長さで、両端に各々ネジ紋１１が成形され、そこにナット１２を螺設する。軸カバー２は、二個を軸桿１上に相対して設置し、その軸カバー２には穿孔２１が成形され、その一端には嵌合部２２が設置される。第一マッサージ部３は、中空の管体で、軸カバー２と嵌合する。この第一マッサージ部３は管孔３１が設置され、その管孔３１の両端は環状凹部３２が成形される。軸受４は、軸桿１の両端にそれぞれ嵌められる。この軸受４には軸孔４１が成形され、二個の軸受４の間にはスリーブ４２が設置され、そのスリーブ４２には軸孔４３が成形される。第二マッサージ部５は、中空の管体で、二組あってそれを各々軸受４上に嵌める。この第二マッサージ部５には管孔５１が成形され、その管孔５１の両端には環状凹部５２が成形され、環状凹部５２のひとつの内にはワッシャ５３が設置され、別の環状凹部５２は外向きに伸びたネジ紋段５４が設置され、ネジ紋段５４内には蓋塊５５がネジ止めされる。
【０００７】
組立時、図２及び図３に示すとおり、先ず、第一マッサージ部３の管孔３１に軸桿１を挿入し、そして軸カバー２の穿孔２１に軸桿１を差し込む。またこの二つの軸カバー２の嵌合部２２をそれぞれ第一マッサージ部３の環凹部３２内に合わせ、第一マッサージ部３をこの二つの軸カバー２の嵌合部２２上で独立して回転させる。軸受４の軸孔４１に軸桿１を挿入し、二つの軸受４をそれぞれ二つの軸カバー２の外側縁に貼り付ける。更にスリーブ４２の軸孔４３に軸桿１を入れ、第二マッサージ部５を各々軸受４の外縁に合わせ、軸受４を第二マッサージ部５の一端の環状凹部５２内に設置し、この二組の第二マッサージ部５は軸受４上で独立して回転する。最後にナット１２を軸桿１の両端のネジ紋１１上に設置し、蓋塊５５を第二マッサージ部５の一端のネジ紋段５４内に螺設し、マッサージ・スティックの組立が完成する。
【０００８】
使用時、図４に示すとおり、両手で第二マッサージ部５を握り、第一マッサージ部３をマッサージしたい位置に当てる。そこに力を加えると、回転し、第一マッサージ部３は二つの軸カバー２上で回転し、第一マッサージ部３が体の各部位をマッサージする。または第一マッサージ部３を手で握り、第二マッサージ部５が軸受４上で各自回転し、第二マッサージ部５が体をマッサージする。このように第一マッサージ部３及び第二マッサージ部５は各々任意に回転し、相互に干渉しない。そのため、操作がしやすく、体の各部位に適したマッサージをする。
【０００９】
（第二実施例）
図５に示すとおり、別に円形の固定台を設置する。この固定台６の周辺縁上には複数個の槽条６１が設置され、それらの槽条６１内に磁気部品６２を設置してマイナス磁気波を発生させる。これらの固定台６は、第一マッサージ部３及び第二マッサージ部５の管孔３１、５１内に挿入され、回転マッサージの時、これらの磁気部品６２が同時にマイナス磁気波を発し、経絡を軟化させ、血液の循環及び脂肪を流す作用がある。
【００１０】
（第三実施例）
図６に示すとおり、第一マッサージ部３もしくは第二マッサージ部５の外周縁上にマッサージ凸７を設置し、マッサージの効果を高める。
（第四実施例）
図７に示すとおり、軸桿１上に各々二組の軸カバー２、第一マッサージ部３、軸受４及び第二マッサージ部５を設置することによって、全体を長くして体の各部位にマッサージをしやすくする。
【図面の簡単な説明】
【００１１】
【図１】本考案の第一実施例によるマッサージ・スティックの立体分解図である。
【図２】本考案の第一実施例によるマッサージ・スティックの組立断面図である。
【図３】本考案の第一実施例によるマッサージ・スティックの立体指示図である。
【図４】本考案の第一実施例によるマッサージ・スティックの使用指示図である。
【図５】本考案の第二実施例によるマッサージ・スティックの組立断面図である。
【図６】本考案の第三実施例によるマッサージ・スティックの外観指示図である。
【図７】本考案の第四実施例によるマッサージ・スティックの構造指示図である。
【図８】公知のマッサージ・スティックの構造指示図である。
【符号の説明】
【００１２】
１  軸桿、１１  ネジ紋、１２  ナット、２  軸カバー、２１  穿孔、２２  嵌合部、３  第一マッサージ部、３１  管孔、３２  環状凹部、４  軸受、４１  軸孔、４２  スリーブ、４３  軸孔、５  第二マッサージ部、５１  管孔、５２  環状凹部、５３  ワッシャ、５４  ネジ紋段、５５  蓋塊、６  固定台、６１  槽条、６２  磁気部品、７  マッサージ凸、Ａ１  マッサージ・スティック、Ａ２  グリップ、Ａ２  マッサージ部
【図１】
0003115792.tif 000003
【図２】
0003115792.tif 000004
【図３】
0003115792.tif 000005
【図４】
0003115792.tif 000006
【図５】
0003115792.tif 000007
【図６】
0003115792.tif 000008
【図７】
0003115792.tif 000009
【図８】
0003115792.tif 000010